(57)【要約】【課題】掃除性がよく、デザイン性のよいガスコンロを提供するものである。【解決手段】機器天板１と、コンロバーナ２と、前記機器天板１に支承され鍋等を載置する鍋載置部３ａと、前記複数個の鍋載置部３ａの支承部３ｃを有する枠部３ｂで構成され、前記鍋載置部３ａと前記枠部３ｂが異なる種類の表面処理または材質で構成された五徳を備えたものである。【選択図】  図１
2004191006.tif 000002
【特許請求の範囲】
【請求項１】
機器天板と、コンロバーナと、前記機器天板に支承され鍋等を載置する鍋載置部と、前記複数個の鍋載置部の支承部を有する枠部で構成され、前記鍋載置部と前記枠部が異なる種類の表面処理または材質で構成された五徳を備えたガスコンロ。
【請求項２】
鍋載置部を支承部に設けた穴に貫通させ、前記鍋載置部の下部に設けた凹部に金具の一部を挿入し、前記金具を枠部裏面よりビスで固定した請求項１記載のガスコンロ。
【請求項３】
鍋載置部をＬ字形状とし、枠部外周方向より支承部にビス等の締結部品で固定された請求項１記載のガスコンロ。
【請求項４】
鍋載置部を支承部裏面よりビス等の締結部品で固定された請求項１記載のガスコンロ。
【請求項５】
鍋載置部をＬ字形状とするとともに、支承部に設けた穴に貫通させ、端部を前記支承部にかしめて固定した請求項１記載のガスコンロ。
【請求項６】
鍋載置部をＵ字形状とし、一端を枠部外周方向より支承部裏面に臨ませ、前記支承部裏面に設けた凹部にかしめて固定した請求項１記載のガスコンロ。
【請求項７】
鍋載置部下部を略コ字形状とし、前記略コ字形状部で支承部を挟み込み支承部裏面より金具で固定した請求項１記載のガスコンロ。
【発明の詳細な説明】
【０００１】
【発明の属する技術分野】
本発明は、機器天板と五徳とコンロバーナを有する家庭用ガスコンロに関するものである。
【０００２】
【従来の技術】
図８に従来のガスコンロの一形態である卓上型調理器の構造を示しており、１は機器本体の上部に嵌合載置された機器天板で、２は機器本体に設けられたコンロバーナで、３は前記機器天板１に支承され鍋等を載置する五徳で、図９に示すように鍋等を載置する３個以上の爪部３ａと前記爪部を連結する枠部３ｂで構成されており、前記爪部３ａのＡ部をかしめることにより前記爪部３ａを前記枠部３ｂに固定した後、ホーロ処理等の表面処理がなされる（例えば、特許文献１参照）。
【０００３】
【特許文献１】
特開平９−１９６３９１号公報
【０００４】
【発明が解決しようとする課題】
一般にガスコンロは、日常使用される頻度が高く、掃除性がよいものやデザイン性のよいものが要求されている。
【０００５】
ところが、上記構成の五徳では、爪部３ａの耐熱性が要求されることから、五徳の表面処理はホーロ処理されることが一般的であるが、面積の広い枠部に付着した煮こぼれ等がこびり付いて掃除性が悪く、爪部３ａの根元と枠部３ｂの角部の掃除が困難であり、また、機器天板１と五徳枠部３ｂの表面処理や色が合わずデザイン性が悪くなることから、デザイン上の制約もあるという不具合があった。
【０００６】
更に、材質が鉄鋳物で作成された場合、重量が重くて掃除性が悪く、またデザイン上の制約もあるという不具合があった。
【０００７】
本発明は、このようなガスコンロの五徳において、掃除性を高めるとともに、デザイン性を高めることを目的とする。
【０００８】
【課題を解決するための手段】
上記目的を達成するため本発明のガスコンロには、機器天板と、コンロバーナと、前記機器天板に支承され鍋等を載置する鍋載置部と、前記複数個の鍋載置部の支承部を有する枠部で構成され、前記鍋載置部と前記枠部が異なる種類の表面処理または材質で構成された五徳を備える構成としたものである。
【０００９】
上記発明によれば、比較的耐熱性が要求されない枠部に、掃除性のよい表面処理を施すことにより掃除を容易ならしめ、また、掃除性のよい形状を可能ならしめ、かつ機器天板と同じ表面処理を施すか、または同じ材質とすることにより、形状の自由度が増し、デザイン性を高めることができる。
【００１０】
【発明の実施の形態】
本願請求項１に記載の発明は、機器天板と、コンロバーナと、前記機器天板に支承され鍋等を載置する鍋載置部と、前記複数個の鍋載置部の支承部を有する枠部で構成され、前記鍋載置部と前記枠部が異なる種類の表面処理または材質で構成された五徳を備えたものであり、枠部の表面処理または材質を鍋載置部とは異なるものを選択可能とすることができ、掃除性のよい表面処理を施すことで、表面の汚れを簡単に拭き取ることができる。
【００１１】
請求項２に記載の発明は、鍋載置部を支承部に設けた穴に貫通させ、前記鍋載置部の下部に設けた凹部に金具の一部を挿入し、前記金具を枠部裏面よりビスで固定した五徳を備えたものである。
【００１２】
請求項３に記載の発明は、鍋載置部をＬ字形状とし、枠部外周方向より支承部にビス等の締結部品で固定した五徳を備えたものである。
【００１３】
請求項４に記載の発明は、鍋載置部を支承部裏面よりビス等の締結部品で固定した五徳を備えたものである。
【００１４】
請求項５に記載の発明は、鍋載置部をＬ字形状とするとともに、支承部に設けた穴に貫通させ、端部を前記支承部にかしめて固定した五徳を備えたものである。
【００１５】
請求項６に記載の発明は、鍋載置部をＵ字形状とし、一端を枠部外周方向より支承部裏面に臨ませ、前記支承部裏面に設けた凹部にかしめて固定した五徳を備えたものである。
【００１６】
請求項７に記載の発明は、鍋載置部下部を略コ字形状とし、前記略コ字形状部で支承部を挟み込み、支承部裏面より金具で固定した五徳を備えたものである。
【００１７】
そして、上記請求項２〜７に記載の発明は、枠部の表面処理または材質を鍋載置部とは異なるものを選択可能ならしめる構成を簡単に提供することができるものである。
【００１８】
【実施例】
以下、本発明の実施例について図面を用いて説明する。
【００１９】
（実施例１）
図１は本発明の実施例１の断面図、図２は図１のＢ矢視図である。
【００２０】
図において、３ａは五徳３の鍋載置部で、ホーロ等の耐熱性の高い表面処理が施され、下部に凹部３ｄを有している。３ｂは五徳３の枠部で、アルミダイカスト等の軽くて形状の自由度の高い材質で、嵌入穴３ｅを設けた支承部３ｃを有しており、前記鍋載置部３ａの下部を前記嵌入穴３ｅに嵌入せしめ、前記凹部３ｄに挿入された金具４で前記枠部３ｂにビス５で固定される。この時、一つの五徳は１個の枠部３ｂと、３個以上の鍋載置部３ａで構成される。
【００２１】
そして、五徳３を鍋載置部３ａと支承部３ｃを金具４で固定する構成とすることにより、鍋載置部３ａと枠部３ｂをそれぞれ表面処理を施した後、締結することが可能となるため、枠部３ｂの表面処理または材質を鍋載置部３ａとは異なるものを選択することが可能となり、枠部３ｂの表面処理として掃除性のよいものを選ぶことで、表面の汚れを簡単に拭き取ることができる。
【００２２】
（実施例２）
図３は本発明の実施例２の要部断面図である。
【００２３】
なお、実施例１と同一符号のものは同一構造を有し、説明は省略する。
【００２４】
実施例１と異なる点は、鍋載置部３ａをＬ字形状とし、枠部３ｂの外周方向より支承部３ｃにビス５で固定したところである。
【００２５】
そして、五徳３を鍋載置部３ａと支承部３ｃをビス５で固定する構成とすることにより、鍋載置部３ａと枠部３ｂをそれぞれ表面処理を施した後、締結可能となし、枠部３ｂの表面処理または材質を鍋載置部３ａとは異なるものを選択可能ならしめるという作用が得られる。
【００２６】
（実施例３）
図４は本発明の実施例３の要部断面図である。
【００２７】
なお、実施例１と同一符号のものは同一構造を有し、説明は省略する。
【００２８】
実施例１と異なる点は、鍋載置部３ａが支承部３ｃの裏面よりビス５で固定されているところである。
【００２９】
そして、五徳３を鍋載置部３ａと支承部３ｃをビス５で固定する構成とすることにより、鍋載置部３ａと枠部３ｂをそれぞれ表面処理を施した後、締結可能となし、枠部３ｂの表面処理または材質を鍋載置部３ａとは異なるものを選択可能ならしめるという作用が得られる。
【００３０】
（実施例４）
図５は本発明の実施例４の要部断面図である。
【００３１】
なお実施例１と同一符号のものは同一構造を有し、説明は省略する。
【００３２】
実施例１と異なる点は、鍋載置部３ａを線材等でＬ字形状とし、一端３ｆを支承部３ｃのかん入穴３ｅにかん入させた後かしめ固定されているところである。
【００３３】
そして、五徳３を鍋載置部３ａの一端３ｆを支承部３ｃにかしめ固定する構成とすることにより、鍋載置部３ａと枠部３ｂをそれぞれ表面処理を施した後、締結可能となし、枠部３ｂの表面処理または材質を鍋載置部３ａとは異なるものを選択可能ならしめるという作用が得られる。
【００３４】
（実施例５）
図６は本発明の実施例５の要部断面図である。
【００３５】
なお、実施例１と同一符号のものは同一構造を有し、説明は省略する。
【００３６】
実施例１と異なる点は、鍋載置部３ａを線材等でＵ字形状とし、一端３ｆを枠部３ｂ外周方向より支承部３ｃ裏面に臨ませ、前記支承部３ｃ裏面に設けられた凹部３ｇにかしめられ固定されているところである。
【００３７】
そして、五徳３を鍋載置部３ａの一端３ｆを支承部３ｃの凹部３ｇにかしめ固定する構成とすることにより、鍋載置部３ａと枠部３ｂをそれぞれ表面処理を施した後、締結可能となし、枠部３ｂの表面処理または材質を鍋載置部３ａとは異なるものを選択可能ならしめるという作用が得られる。
【００３８】
（実施例６）
図７は本発明の実施例６の要部断面図である。
【００３９】
実施例１と異なる点は、鍋載置部３ａ下部に略コ字形状部３ｈを有し、前記略コ字形状部３ｈで支承部３ｃを挟み込み支承部３ｃ裏面より金具４で支承部３ｃにビス５で固定されているところである。
【００４０】
なお、実施例１と同一符号のものは同一構造を有し、説明は省略する。
【００４１】
そして、五徳３を鍋載置部３ａと支承部３ｃを金具４で固定する構成とすることにより、鍋載置部３ａと枠部３ｂをそれぞれ表面処理を施した後、締結可能となし、枠部３ｂの表面処理または材質を鍋載置部３ａとは異なるものを選択可能ならしめるという作用が得られる。
【００４２】
【発明の効果】
以上のように本発明によれば、枠部の表面処理または材質を鍋載置部とは異なるものを選択可能ならしめ、面積の広い枠部にフッソ加工等の掃除性の良い表面処理を施すことで掃除性を高め、枠部を軽くて形状の自由度の高いアルミダイカスト等で加工可能ならしめ、軽さとＲ形状で掃除性を高めるとともに、デザイン性を高め、更に機器天板の表面処理と合わせることが可能であり、デザイン性を高めるという効果が得られる。
【図面の簡単な説明】
【図１】本発明の実施例１の断面図
【図２】本発明の実施例１の斜視図
【図３】本発明の実施例２の要部断面図
【図４】本発明の実施例３の要部断面図
【図５】本発明の実施例４の要部断面図
【図６】本発明の実施例５の要部断面図
【図７】本発明の実施例６の要部断面図
【図８】従来例の卓上型組込み型調理器の外観斜視図
【図９】従来例の要部断面図
【符号の説明】
３ａ  爪部、鍋載置部
３ｂ  枠部
３ｃ  支承部
３ｄ  凹部
３ｅ  嵌入穴
３ｆ  一端
３ｇ  凹部
３ｈ  コ字形状部
４  金具
５  ビス
【図１】
2004191006.tif 000003
【図２】
2004191006.tif 000004
【図３】
2004191006.tif 000005
【図４】
2004191006.tif 000006
【図５】
2004191006.tif 000007
【図６】
2004191006.tif 000008
【図７】
2004191006.tif 000009
【図８】
2004191006.tif 000010
【図９】
2004191006.tif 000011